(57)【要約】【課題】１台で複数の機能を有する多機能乾燥機を提供する。【解決手段】多機能乾燥機は、ヘアドライヤー１を組み合わせて使用可能であり、嵌合部材２０、第１のスリーブ２１及び第２のスリーブ２２を備える。嵌合部材２０は、ヘアドライヤー１が挿入される嵌設空間２００と、コントローラ２０１とを有する。第１のスリーブ２１は、嵌合部材２０に取り付けられるとともに、嵌設空間２００と連通する乾燥空間２１０を有する。第２のスリーブ２２は、乾燥空間２１０に配設されるとともに、物入れ空間２２２を有する。嵌合部材２０は、コントローラ２０１が収容される装着空間２０３と、嵌合部材２０に取り付けられて装着空間２０３を覆う上蓋２０４とを有する。上蓋２０４は、嵌設空間２００と連通する挿設口を有する。コントローラ２０１は、ＬＥＤ電源インジケータ２０１ａ、乾燥押ボタン２０１ｂ及びヘアブロー押ボタン２０１ｃを含む。【選択図】図２
0003224527.tif 000002
【実用新案登録請求の範囲】
【請求項１】
ヘアドライヤーを組み合わせて使用可能であり、嵌合部材、第１のスリーブ及び第２のスリーブを備えた多機能乾燥機であって、
前記嵌合部材は、前記ヘアドライヤーが挿入される嵌設空間と、コントローラと、を有し、
前記第１のスリーブは、前記嵌合部材に取り付けられるとともに、前記嵌設空間と連通する乾燥空間を有し、
前記第２のスリーブは、前記乾燥空間に配設されるとともに、物入れ空間を有することを特徴とする多機能乾燥機。
【請求項２】
前記嵌合部材は、前記コントローラが収容される装着空間と、前記嵌合部材に取り付けられて前記装着空間を覆う上蓋とを有することを特徴とする請求項１に記載の多機能乾燥機。
【請求項３】
前記上蓋は、前記嵌設空間と連通する挿設口を有することを特徴とする請求項２に記載の多機能乾燥機。
【請求項４】
前記コントローラは、ＬＥＤ電源インジケータ、乾燥押ボタン及びヘアブロー押ボタンを含むことを特徴とする請求項１に記載の多機能乾燥機。
【請求項５】
前記第１のスリーブの底部には、通気構造が設けられていることを特徴とする請求項１に記載の多機能乾燥機。
【請求項６】
前記第１のスリーブは、前記乾燥空間から前記第２のスリーブを出し入れするのに用いる装着口と、前記装着口を覆うことが可能な蓋体と、を有することを特徴とする請求項１に記載の多機能乾燥機。
【請求項７】
前記嵌合部材には、少なくとも１つの係合部材が設けられることを特徴とする請求項１に記載の多機能乾燥機。
【請求項８】
前記第１のスリーブは、前記係合部材に係合される少なくとも１つの突合せ部材を有することを特徴とする請求項７に記載の多機能乾燥機。
【考案の詳細な説明】
【技術分野】
【０００１】
本考案は、多機能乾燥機に関するものである。
【背景技術】
【０００２】
従来の浴室で使用する乾燥機は、例えば、髪の毛に吹き付けて乾かすヘアドライヤー、手を乾かすハンドドライヤー又は濡れたタオルなどを乾かす乾燥機など、単一の機能しか備えていないものが一般的であった。しかし、自宅の浴室空間の大きさには限界があるため、様々な用途の乾燥機・ドライヤーなどを複数台設置すると、浴室が狭くなってしまうという問題が生じ、浴室の機能を達成できなくなることが指摘されてきた。また、使用空間を小さくすることは、いずれの分野においても技術的にも、また、経済的にも重要なことである。
【考案の概要】
【考案が解決しようとする課題】
【０００３】
従って、本考案の主な課題は、１台で複数の機能を有する多機能乾燥機を提供することにある。
【課題を解決するための手段】
【０００４】
そこで、本考案者は、前記の本考案の課題を解決するため鋭意検討を重ねた結果、後述の如く、ヘアドライヤーを組み合せてなり、少なくとも嵌合部材、ならびに特定の配置による第１のスリーブおよび第２のスリーブを備えることにより、前記課題を解決できる点に着目し、かかる知見に基いて本考案に想到するに至った。
【０００５】
かくして、本考案の要旨は、次の（１）〜（８）に記載の通りのものである。
（１）ヘアドライヤーを組み合わせて使用可能であり、嵌合部材、第１のスリーブ及び第２のスリーブを備えた多機能乾燥機であって、前記嵌合部材は、前記ヘアドライヤーが挿入される嵌設空間と、コントローラと、を有し、前記第１のスリーブは、前記嵌合部材に取り付けられるとともに、前記嵌設空間と連通する乾燥空間を有し、前記第２のスリーブは、前記乾燥空間に配設されるとともに、物入れ空間を有することを特徴とする、多機能乾燥機。
【０００６】
（２）前記嵌合部材は、前記コントローラが収容される装着空間と、前記嵌合部材に取り付けられて前記装着空間を覆う上蓋と、を有することを特徴とする前記（１）に記載の多機能乾燥機。
【０００７】
（３）前記上蓋は、前記嵌設空間と連通する挿設口を有することを特徴とする前記（２）に記載の多機能乾燥機。
【０００８】
（４）前記コントローラは、ＬＥＤ電源インジケータ、乾燥押ボタン及びヘアブロー押ボタンを含むことを特徴とする前記（１）に記載の多機能乾燥機。
【０００９】
（５）前記第１のスリーブの底部には、通気構造が設けられていることを特徴とする前記（１）に記載の多機能乾燥機。
【００１０】
（６）前記第１のスリーブは、前記乾燥空間から前記第２のスリーブを出し入れするのに用いる装着口と、前記装着口を覆うことが可能な蓋体と、を有することを特徴とする前記（１）に記載の多機能乾燥機。
【００１１】
（７）前記嵌合部材には、少なくとも１つの係合部材が設けられることを特徴とする前記（１）に記載の多機能乾燥機。
【００１２】
（８）前記第１のスリーブは、前記係合部材に係合される少なくとも１つの突合せ部材を有することを特徴とする前記（７）に記載の多機能乾燥機。
【考案の考察】
【００１３】
本考案に係る多機能乾燥機は、前記の通りの構成からなるものであり、ヘアドライヤーとして、および衣類の乾燥機等として使用することができるなど多機能を有することができる。 
【図面の簡単な説明】
【００１４】
【図１】図１は、本考案の一実施形態に係る多機能乾燥機を示す斜視図である。
【図２】図２は、本考案の一実施形態に係る多機能乾燥機を示す分解斜視図である。
【図３】図３は、本考案の一実施形態に係る多機能乾燥機に衣類を投入して乾燥させる状態を示す説明図である。
【図４】図４は、本考案の一実施形態に係る多機能乾燥機をヘアドライヤーとして用いる使用状態の説明図である。
【考案を実施するための形態】
【００１５】
以下、図面を用いて本考案を具体的に説明する。もっとも本考案は、かかる図面等により限定されるものではない。
図１及び図２を参照する。図１は、本考案の一実施形態に係る多機能乾燥機を示す斜視図である。図２は、本考案の一実施形態に係る多機能乾燥機を示す分解斜視図である。図１及び図２に示すように、本考案の一実施形態に係る多機能乾燥機は、少なくともヘアドライヤー１及び乾燥機２の組み合わせからなる。乾燥機２は、嵌合部材２０、第１のスリーブ２１及び第２のスリーブ２２を含む。嵌合部材２０は、嵌設空間２００及びコントローラ２０１を有する。嵌設空間２００には、ヘアドライヤー１が挿入される。コントローラ２０１は、ＬＥＤ電源インジケータ２０１ａ、乾燥押ボタン２０１ｂ及びヘアブロー押ボタン２０１ｃを含む。
【００１６】
第１のスリーブ２１は、嵌合部材２０に取り付けられるとともに、乾燥空間２１０を有する。乾燥空間２１０は、嵌設空間２００と連通する。乾燥空間２１０には、第２のスリーブ２２が配設され、第２のスリーブ２２は、物入れ空間２２２を有する。この構成により、ユーザは物入れ空間２２２に衣類を投入することができる。第１のスリーブ２１は、底部に通気構造２１１及び装着口２１２が設けられる。通気構造２１１は、内部の熱気を排出させるために用い、空気を対流させることができる。第２のスリーブ２２は、装着口２１２を介して乾燥空間２１０から出し入れさせることができ、第１のスリーブ２１の装着口２１２には、装着口２１２を覆うことが可能な蓋体２１３が設けられる。
【００１７】
前述した嵌合部材２０は、装着空間２０３及び上蓋２０４を含む。上蓋２０４には、挿設口２０４０が形成される。挿設口２０４０は、嵌設空間２００と連通する。装着空間２０３には、コントローラ２０１が収容される。上蓋２０４は、嵌合部材２０に取り付けられるとともに、装着空間２０３を覆う。また、嵌合部材２０には、少なくとも１つの係合部材２０５が取り付けられる。第１のスリーブ２１は、少なくとも１つの突合せ部材２１４を有する。第１のスリーブ２１は、突合せ部材２１４を介して嵌合部材２０上の係合部材２０５に係合されて固定される。
【００１８】
図３及び図４を参照する。図３は、本考案の一実施形態に係る多機能乾燥機に衣類を投入して乾燥させる状態を示す説明図である。図４は、本考案の一実施形態に係る多機能乾燥機をヘアドライヤーとして用いる使用状態の説明図である。図３及び図４に示すように、濡れた衣類３を乾かす場合、まず、第２のスリーブ２２の物入れ空間２２２に衣類３を投入し、装着口２１２を介して乾燥空間２１０に第２のスリーブ２２を入れた後、蓋体２１３で蓋をして装着口２１２を覆う。最終的に、上蓋２０４上の挿設口２０４０を介し、ヘアドライヤー１の排風構造を嵌合部材２０の嵌設空間２００に挿入させ、ヘアドライヤー１が発生させた熱風を乾燥空間２１０へ送り込んで衣類３を乾かす。
【００１９】
図４に示すように、ヘアドライヤーとして使用する場合、第１のスリーブ２１を旋回させて突合せ部材２１４と嵌合部材２０上の係合部材２０５とを分離させると、ヘアドライヤー１が発生させた熱風が嵌設空間２００から直接吹き出し、熱風を髪に直接吹き付けて乾かすことができる。
【００２０】
上述したことから分かるように、本考案は乾かす衣類３を第２のスリーブ２２の物入れ空間２２２に投入してヘアドライヤー１の熱風で乾かすことができる上、第１のスリーブ２１を取り外して普通のヘアドライヤーとして使用することもできるため、１台で複数の機能が得られる。
【符号の説明】
【００２１】
１  ヘアドライヤー
２  乾燥機
３  衣類
２０  嵌合部材
２１  第１のスリーブ
２２  第２のスリーブ（ｓｌｅｅｖｅ）
２００  嵌設空間
２０１  コントローラ
２０１ａ  ＬＥＤ電源インジケータ
２０１ｂ  乾燥押ボタン
２０１ｃ  ヘアブロー押ボタン
２０３  装着空間
２０４  上蓋
２０５  係合部材
２１０  乾燥空間
２１１  通気構造
２１２  装着口
２１３  蓋体
２１４  突合せ部材
２２２  物入れ空間
２０４０  挿設口
【図１】
0003224527.tif 000003
【図２】
0003224527.tif 000004
【図３】
0003224527.tif 000005
【図４】
0003224527.tif 000006